(57)【要約】【課題】２画面を有する携帯型情報処理装置において、通話のユーザビリティを向上させることを目的とする。【課題を解決するための手段】携帯型情報処理装置は、第１の表示部が設けられた第１の筐体と、第２の表示部が設けられた第２の筐体と、前記第１の筐体と前記第２の筐体とを回転可能に連結する連結部と、前記第１の表示部と前記第２の表示部の向きで規定される前記携帯型情報処理装置の状態を検出する状態検出手段と、前記状態検出手段の検出結果に基づいて、レシーバを使用して通話を行う第１の通話モードと、スピーカーを使用して通話を行う第２の通話モードとの実行を制御する制御手段と、を備え、前記制御手段は、前記携帯型情報処理装置が第１の状態で電話を受信した後、前記携帯型情報処理装置が第２の状態に変更された場合には、当該第２の状態に対応した通話モードで通話を行う。【選択図】図１
2015233198.tif 000002
【特許請求の範囲】
【請求項１】
第１の表示部が設けられた第１の筐体と、
第２の表示部が設けられた第２の筐体と、
前記第１の筐体と前記第２の筐体とを回転可能に連結する連結部と、
前記第１の表示部と前記第２の表示部の向きで規定される前記携帯型情報処理装置の状態を検出する状態検出手段と、
前記状態検出手段の検出結果に基づいて、レシーバを使用して通話を行う第１の通話モードと、スピーカーを使用して通話を行う第２の通話モードとの実行を制御する制御手段と、
を備え、
前記制御手段は、前記携帯型情報処理装置が第１の状態で電話を受信した後、前記携帯型情報処理装置が第２の状態に変更された場合には、当該第２の状態に対応した通話モードで通話を行うことを特徴とする携帯型情報処理装置。
【請求項２】
前記制御手段は、前記携帯型情報処理装置がテント状態と異なる他の状態で電話を受信した後、前記テント状態に変更された場合には、前記第２の通話モードを実行することを特徴とする請求項１に記載の携帯型情報処理装置。
【請求項３】
前記制御手段は、前記携帯型情報処理装置がテント状態と異なる他の状態で電話を受信した後、前記テント状態に変更され、当該テント状態で所定時間静止した場合、又は、当該テント状態でユーザによる所定のアクションが行われた場合には、前記第２の通話モードを実行することを特徴とする請求項２に記載の携帯型情報処理装置。
【請求項４】
前記制御手段は、前記携帯型情報処理装置がブック状態と異なる他の状態で電話を受信した後、前記ブック状態に変更された場合には、前記第２の通話モードを実行することを特徴とする請求項１〜請求項３のいずれか１つに記載の携帯型情報処理装置。
【請求項５】
前記制御手段は、前記携帯型情報処理装置がブック状態と異なる他の状態で電話を受信した後、前記ブック状態に変更され、当該ブック状態でユーザによる所定のアクションが行われた場合に、前記第２の通話モードを実行することを特徴とする請求項４に記載の携帯型情報処理装置。
【請求項６】
前記制御手段は、前記携帯型情報処理装置が前記第１の表示部と前記第２の表示部が内側を向いて対向するベーシック状態以外の状態で電話を受信した後、前記ベーシック状態宇変更された場合には、前記第１の通話モードを実行することを特徴とする請求項１〜請求項５のいずれか１つに記載の携帯型情報処理装置。
【請求項７】
前記電話は、音声電話及びテレビ電話を含むことを特徴とする請求項１〜請求項６のいずれか１つに記載の携帯型情報処理装置。
【請求項８】
第１の表示部が設けられた第１の筐体と、第２の表示部が設けられた第２の筐体とを回転可能に連結した携帯型情報処理装置の通話方法であって、
前記第１の表示部と前記第２の表示部の向きで規定される前記携帯型情報処理装置の状態を検出する状態検出工程と、
前記状態検出工程の検出結果に基づいて、レシーバを使用して通話を行う第１の通話モードと、スピーカーを使用して通話を行う第２の通話モードの実行を制御する制御工程と、
を含み、
前記制御工程では、前記携帯型情報処理装置が第１の状態で電話を受信した後、前記携帯型情報処理装置が第２の状態に変更された場合には、当該第２の状態に対応した通話モードで通話を行うことを特徴とする携帯型情報処理装置の通話方法。
【請求項９】
第１の表示部が設けられた第１の筐体と、第２の表示部が設けられた第２の筐体とを回転可能に連結した携帯型情報処理装置に搭載されるプログラムであって、
前記第１の表示部と前記第２の表示部の向きで規定される前記携帯型情報処理装置の状態を検出する状態検出工程と、
前記状態検出工程の検出結果に基づいて、レシーバを使用して通話を行う第１の通話モードと、スピーカーを使用して通話を行う第２の通話モードの実行を制御する制御工程と、
をコンピュータに実行させ、
前記制御工程では、前記携帯型情報処理装置が第１の状態で電話を受信した後、前記携帯型情報処理装置が第２の状態に変更された場合には、当該第２の状態に対応した通話モードで通話を行うことを特徴とするコンピュータが実行可能なプログラム。
【発明の詳細な説明】
【技術分野】
【０００１】
本発明は、携帯型情報処理装置、その通話方法、及びコンピュータが実行可能なプログラムに関する。
【背景技術】
【０００２】
近時、スマートフォン等の携帯型情報処理装置では、２画面を有するものが普及している。２画面を有するスマートフォンでは、第１の画面が配置された第１の筐体と、第２の画面が配置された第２の筐体とを回転可能に連結した構成となっており、第１の筐体に対して、第２の筐体を実質的に３６０度回転可能になっている。２画面を有するスマートフォンでは、第１の画面と第２の画面が内側を向いて対向するクローズ構成、第１の画面と第２の画面が外側を向いて対向するベーシック構成、テント構成、ブック構成等の各種構成を取ることができる。
【０００３】
他方、スマートフォンでは、通話をする場合に、レシーバを使用して通話を行うレシーバ通話と、スピーカーを使用して通話を行うスピーカー通話（「ハンズフリー通話」ともいう）とが可能になっている。
【０００４】
上述したように、２画面を有するスマートフォンでは、各種構成を取ることができるため、各種構成に対応して通話のユーザビリティを向上させることが望まれる。
【先行技術文献】
【特許文献】
【０００５】
【特許文献１】特開２００３−２８４１５号公報
【特許文献２】特開２００６−５４７９９号公報
【特許文献３】特開２０１４−４９８６８号公報
【特許文献４】特開２０１２−５７６６２号公報
【発明の概要】
【発明が解決しようとする課題】
【０００６】
本発明は、上記に鑑みてなされたものであり、２画面を有する携帯型情報処理装置において、通話のユーザビリティを向上させることが可能な携帯型情報処理装置を提供することを目的とする。
【課題を解決するための手段】
【０００７】
上述した課題を解決し、目的を達成するために、本発明は、第１の表示部が設けられた第１の筐体と、第２の表示部が設けられた第２の筐体と、前記第１の筐体と前記第２の筐体とを回転可能に連結する連結部と、前記第１の表示部と前記第２の表示部の向きで規定される前記携帯型情報処理装置の状態を検出する状態検出手段と、前記状態検出手段の検出結果に基づいて、レシーバを使用して通話を行う第１の通話モードと、スピーカーを使用して通話を行う第２の通話モードとの実行を制御する制御手段と、を備え、前記制御手段は、前記携帯型情報処理装置が第１の状態で電話を受信した後、前記携帯型情報処理装置が第２の状態に変更された場合には、当該第２の状態に対応した通話モードで通話を行うことを特徴とする。
【０００８】
また、本発明の好ましい態様によれば、前記制御手段は、前記携帯型情報処理装置がテント状態と異なる他の状態で電話を受信した後、前記テント状態に変更された場合には、前記第２の通話モードを実行することが望ましい。
【０００９】
また、本発明の好ましい態様によれば、前記制御手段は、前記携帯型情報処理装置がテント状態と異なる他の状態で電話を受信した後、前記テント状態に変更され、当該テント状態で所定時間静止した場合、又は、当該テント状態でユーザによる所定のアクションが行われた場合には、前記第２の通話モードを実行することが望ましい。
【００１０】
また、本発明の好ましい態様によれば、前記制御手段は、前記携帯型情報処理装置がブック状態と異なる他の状態で電話を受信した後、前記ブック状態に変更された場合には、前記第２の通話モードを実行することが望ましい。
【００１１】
また、本発明の好ましい態様によれば、前記制御手段は、前記携帯型情報処理装置がブック状態と異なる他の状態で電話を受信した後、前記ブック状態に変更され、当該ブック状態でユーザによる所定のアクションが行われた場合に、前記第２の通話モードを実行することが望ましい。
【００１２】
また、本発明の好ましい態様によれば、前記制御手段は、前記携帯型情報処理装置が前記第１の表示部と前記第２の表示部が内側を向いて対向するベーシック状態以外の状態で電話を受信した後、前記ベーシック状態宇変更された場合には、前記第１の通話モードを実行することが望ましい。
【００１３】
また、本発明の好ましい態様によれば、前記電話は、音声電話及びテレビ電話を含むことが望ましい。
【００１４】
また、上述した課題を解決し、目的を達成するために、本発明は、第１の表示部が設けられた第１の筐体と、第２の表示部が設けられた第２の筐体とを回転可能に連結した携帯型情報処理装置の通話方法であって、前記第１の表示部と前記第２の表示部の向きで規定される前記携帯型情報処理装置の状態を検出する状態検出工程と、前記状態検出工程の検出結果に基づいて、レシーバを使用して通話を行う第１の通話モードと、スピーカーを使用して通話を行う第２の通話モードの実行を制御する制御工程と、を含み、前記制御工程では、前記携帯型情報処理装置が第１の状態で電話を受信した後、前記携帯型情報処理装置が第２の状態に変更された場合には、当該第２の状態に対応した通話モードで通話を行うことを特徴とする。
【００１５】
また、上述した課題を解決し、目的を達成するために、本発明は、第１の表示部が設けられた第１の筐体と、第２の表示部が設けられた第２の筐体とを回転可能に連結した携帯型情報処理装置に搭載されるプログラムであって、前記第１の表示部と前記第２の表示部の向きで規定される前記携帯型情報処理装置の状態を検出する状態検出工程と、前記状態検出工程の検出結果に基づいて、レシーバを使用して通話を行う第１の通話モードと、スピーカーを使用して通話を行う第２の通話モードの実行を制御する制御工程と、をコンピュータに実行させ、前記制御工程では、前記携帯型情報処理装置が第１の状態で電話を受信した後、前記携帯型情報処理装置が第２の状態に変更された場合には、当該第２の状態に対応した通話モードで通話を行うことを特徴とする。
【発明の効果】
【００１６】
本発明によれば、２画面を有する携帯型情報処理装置において、通話のユーザビリティを向上させることが可能となるという効果を奏する。
【図面の簡単な説明】
【００１７】
【図１】図１は、本実施の形態にかかる携帯型情報処理装置の外観構成を示す斜視図である。
【図２−Ａ】図２−Ａは、携帯型情報処理装置１の各種状態を説明するための図であり、クローズ状態を示す図である。
【図２−Ｂ】図２−Ｂは、携帯型情報処理装置の各種状態を説明するための模式図であり、ブック状態を示す図である。
【図２−Ｃ】図２−Ｃは、携帯型情報処理装置の各種状態を説明するための模式図であり、クラムシェル状態を示す図である。
【図２−Ｄ】図２−Ｄは、携帯型情報処理装置の各種状態を説明するための模式図であり、タブレット状態を示す図である。
【図２−Ｅ】図２−Ｅは、携帯型情報処理装置の各種状態を説明するための模式図であり、テント状態を示す図である。
【図２−Ｆ】図２−Ｆは、携帯型情報処理装置の各種状態を説明するための模式図であり、ベーシック状態を示す図である。
【図３】図３は、携帯型情報処理装置のブロック図である。
【図４】図４は、ベーシック状態で電話を受信した場合の表示画面の例を説明するための図である。
【図５】図５は、テント状態で電話を受信した場合の表示画面の例を説明するための図である。
【図６】図６は、ブック状態で電話を受信した場合の表示画面の例を説明するための図である。
【図７】図７は、クローズ状態で電話を受信し、ベーシック状態で通話する場合の処理の一例を説明するための図である。
【図８】図８は、クローズ状態で電話を受信し、ブック状態で通話する場合の処理の一例を説明するための図である。
【図９】図９は、クローズ状態で電話を受信し、ベーシック状態で通話する場合の処理の一例を説明するための図である。
【図１０】図１０は、テント状態で電話を受信し、テント状態で通話する場合の処理の一例を説明するための図である。
【図１１】図１１は、テント状態で電話を受信し、ベーシック状態で通話する場合の処理の一例を説明するための図である。
【図１２】図１２は、ベーシック状態で電話を受信し、ベーシック状態で通話する場合の処理の一例を説明するための図である。
【図１３】図１３は、ベーシック状態で電話を受信し、テント状態で通話する場合の処理の一例を説明するための図である。
【発明を実施するための形態】
【００１８】
以下に、この発明にかかる携帯型情報処理装置、その通話方法、及びコンピュータが実行可能なプログラムを図面に基づいて詳細に説明する。本発明の構成要素は、本明細書の図面に一般に示してあるが、様々な構成で広く多様に配置し設計してもよいことは容易に理解できる。したがって、本発明の装置、システム及び方法の実施形態についての以下のより詳細な説明は、特許請求の範囲に示す本発明の範囲を限定するものではなく、単に本発明の選択した実施形態の一例を示すものであって、特許請求の範囲に示す本発明と矛盾無く装置、システム及び方法についての選択した実施形態を単に示すものである。当業者は、特定の細目の１つ以上が無くても、又は他の方法、部品、材料でも本発明を実現できることが理解できる。また、フローチャートの各ステップを実行する順番はフローチャートに示す順番に限定されるものではなく、本発明の趣旨を逸脱しない範囲で順番を変更してもよい。なお、この実施の形態によりこの発明が限定されるものではない。また、下記実施の形態における構成要素には、当業者が容易に想定できるもの又は実質的に同一のものが含まれる。
【００１９】
図１〜図３を参照して、本実施の形態にかかる携帯型情報処理装置の構成を説明する。本実施の形態にかかる携帯型情報処理装置は、２つのディスプレイを有する通話が可能な携帯型情報処理装置であり、例えば、スマートフォン、ファブレット、及びタブレット等である。以下では、本実施の形態にかかる携帯型情報処理装置としてスマートフォンを適用した場合について説明する。
【００２０】
図１は、本実施の形態にかかる携帯型情報処理装置の外観構成を示す斜視図である。本実施の形態にかかる携帯型情報処理装置１は、第１の筐体１０と、第２の筐体２０と、を備えている。また、携帯型情報処理装置１は、第１の筐体１０と第２の筐体２０との間にヒンジ（連結部）３０を備えている。
【００２１】
ヒンジ３０は、第１の筐体１０と第２の筐体２０とを回転可能に連結する。回転軸δに対する第１の筐体１０と第２の筐体２０との角度を「θ」と規定する。より詳細には、ヒンジ３０は、第１の筐体１０と第２の筐体２０とを回転軸δを中心に実質的に３６０度回転可能に連結する。携帯型情報処理装置１は、ヒンジ３０により各種状態を取ることが可能となっている。
【００２２】
第１の筐体１０は、第１のタッチ表示部１１と、レシーバ１２と、メインマイク１３と、スピーカー１５と、ホール素子１６と、第１の加速度センサ１７と、回路基板（不図示）を備えている。第１の筐体１０は、略矩形であり、第１のタッチ表示部１１やレシーバ１２が配置される第１の面１０Ａ、第１の面１０Ａに対向する第２の面１０Ｂ、短手方向の互いに対向する側面１０Ｃ、１０Ｄ、長手方向の互いに対向する側面１０Ｅ、１０Ｆを備えている。
【００２３】
第１のタッチ表示部１１は、第１の面１０Ａの略中央に配置されている。第１のタッチ表示部１１は、表示部１１ｂと、表示部１１ｂに重畳されたタッチパネル１１ａとを有する。第１のタッチ表示部１１は、表示部１１ｂに文字、図形、画像等の情報を表示するとともに、指、スタイラス、ペン等（以下、「指示体」と称する）を用いてタッチパネル１１ａに対して行われる各種操作を検出する。タッチパネル１１ａが各種操作を検出する方式は、静電容量式、感圧式等の方式を採用することができる。
【００２４】
レシーバ１２は、第１の面１０Ａの第１のタッチ表示部１１の上方に配置されており、
レシーバ通話（第１の通話モード）において、通話相手の音声を出力する。
【００２５】
メインマイク１３及びスピーカー１５は、側面１０Ｃに互いに近接して配置されている。メインマイク１３は、周囲の音を収音するマイク装置である。具体的には、メインマイク１３は、レシーバ通話時におけるユーザの声や、動画撮影時における周囲の音声等を収音する。
【００２６】
スピーカー１５は、スピーカー通話（第２の通話モード）において、通話相手の音声を出力する。また、スピーカー１５は、通話時以外において、音声付き動画や音楽等の音声を出力する。
【００２７】
ホール素子１６は、双極性のホール素子であり、第１の筐体１０の内部に配置されている。ホール素子１６が配置される位置は、第２の筐体２０の内部に配置されるマグネット２８が配置される位置に対応する。より詳細には、携帯型情報処理装置１のクローズ状態及びベーシック状態において、ホール素子１６とマグネット２８が対向するように、ホール素子１６及びマグネット２８が配置される。
【００２８】
ホール素子１６は、第２の筐体２０の内部に配置されているマグネット２８から発生する磁界を検出する。ホール素子１６が磁界を検出することにより、後述するように、携帯型情報処理装置１のクローズ状態（θ＝０度）及びベーシック状態（θ＝３６０度）を検出することができる。
【００２９】
第１の加速度センサ１７は、第１の筐体１０の内部に配置され、第１のタッチ表示部１１（第１の面１０Ａ）に対して、その長手方向に平行なＸ１方向、その短手方向に平行なＹ１方向、Ｘ１及びＹ１方向に垂直なＺ１方向の加速度を検出する。第１の加速度センサ１７がＸ１Ｙ１Ｚ１方向の加速度を検出することにより、後述するように、第１のタッチ表示部１１の向きを検出することができる。
【００３０】
第２の筐体２０は、第２のタッチ表示部２１と、カメラ２２と、サブマイク２３と、第２の加速度センサ２７と、マグネット２８と、回路基板（不図示）を備えている。
【００３１】
第２の筐体２０は、略矩形であり、第２のタッチ表示部２１及びカメラ２２が配置される第１の面２０Ａ、第１の面２０Ａに対向する第２の面２０Ｂ、短手方向の互いに対向する側面２０Ｃ、２０Ｄ、長手方向の互いに対向する側面２０Ｅ、２０Ｆを備えている。
【００３２】
第２のタッチ表示部２１は、第１の面２０Ａの略中央に配置されている。第２のタッチ表示部２１は、表示部２１ｂと、表示部２１ａに重畳されたタッチパネル２１ａとを有する。第２のタッチ表示部２１は、表示部２１ｂに文字、図形、画像等の情報を表示するとともに、指、スタイラス、ペン等（以下、「指示体」と称する）を用いてタッチパネル２１ａに対して行われる各種操作を検出する。タッチパネル２１ａが各種操作を検出する方式は、静電容量式、感圧式等の方式を採用することができる。
【００３３】
カメラ２２は、第１の面２０Ａのタッチ表示部２１の上方に配置されている。カメラ２２は、ユーザの操作に応じて撮像処理を実行し、画像データや動画データを生成する。
【００３４】
第２の加速度センサ２７は、第２の筐体２０の内部に配置され、第２のタッチ表示部２１に対して、その長手方向に平行なＸ２方向、その短手方向に平行なＹ２方向、Ｘ２及びＹ２方向に垂直なＺ２方向の加速度を検出する。第２の加速度センサ２７がＸ１Ｙ１Ｚ１方向の加速度を検出することにより、後述するように、第２のタッチ表示部２１の向きを検出することができる。
【００３５】
サブマイク２３は、側面２０Ｃに配置されており、周囲の音を収音するマイク装置である。具体的には、サブマイク２３は、スピーカー通話におけるユーザの声や、動画撮影時における周囲の音声等を収音する。
【００３６】
マグネット２８は、第２の筐体２０の内部に、上述のホール素子１６に対応する位置に配置されている。
【００３７】
図２−Ａ〜図２−Ｆは、携帯型情報処理装置１の各種状態を説明するための模式図である。携帯型情報処理装置１は、第１のタッチ表示部１１（第１の筐体１０の第１の面１０Ａ）と第２のタッチ表示部２１（第２の筐体２０の第１の面２０Ａ）の向きで規定される各種構成を取ることができる。
【００３８】
図２−Ａは、クローズ（Ｃｌｏｓｅ）状態を示しており、角度θ＝０度で、第１のタッチ表示部１１と第２のタッチ表示部２１が内側を向いて対向する状態である。
【００３９】
図２−Ｂは、ブック（Ｂｏｏｋ）状態を示しており、０度＜θ＜１８０度で、第１のタッチ表示部１１の側面１０Ｄ側と第２のタッチ表示部２１の側面２０Ｄ側が概ね鉛直方向の上方向側にある状態である。
【００４０】
図２−Ｃは、クラムシェル（Ｃｌａｍｓｈｅｌｌ）状態を示しており、０度＜θ＜１８０度で、第１のタッチ表示部１１又は第２のタッチ表示部１２が概ね水平にある状態である。
【００４１】
図２−Ｄは、タブレット（Ｔａｂｌｅｔ）状態を示しており、θ＝１８０度で、第１のタッチ表示部１１と第２のタッチ表示部２１が概ね面一にある状態である。
【００４２】
図２−Ｅは、テント（Ｔｅｎｔ）状態を示しており、１８０度＜θ＜３６０度にある状態であり、第１のタッチ表示部１１の側面１０Ｅ側及び第２のタッチ表示部２１の側面２０Ｅ側が概ね鉛直方向の下方向側にある状態である。
【００４３】
図２−Ｆは、ベーシック（Ｂａｓｉｃ）状態を示しており、角度θ＝３６０度で、第１のタッチ表示部１１と第２のタッチ表示部２１が外側を向いて対向する状態である。
【００４４】
図３は、携帯型情報処理装置１の概略のブロック図である。携帯型情報処理装置１は、図３に示すように、第１のタッチ表示部１１と、第２のタッチ表示部２１と、レシーバ１２と、スピーカー１５と、メインマイク１３と、サブマイク２３と、ホール素子１６と、第１の加速度センサ１７と、第２の加速度センサ２７と、制御部１００と、メモリ１０１と、記憶部１０２と、通信部１０３と、電源部１０４と、を備えている。
【００４５】
第２のタッチ表示部１１は、表示部１１ｂと、表示部１１ｂに重畳されたタッチパネル１１ａとを有する。タッチパネル１１ａは、指やペン等の指示体を用いてタッチパネル１１ａに対して行われた各種操作を、操作が行われた場所のタッチパネル１１ａ上での位置とともに検出し、制御部１００に通知する。タッチパネル１１ａによって検出される操作には、タッチ操作、スライド操作、及びピッチ操作が含まれる。表示部１１ｂは、例えば、液晶ディスプレイ（ＬＣＤ：Liquid  Crystal  Display）や有機ＥＬ（Organic  Electro−Luminescence）パネルなどで構成され、制御部１００の制御に従って文字や図形等を表示する。
【００４６】
第２のタッチ表示部２１は、表示部２１ｂと、表示部２１ｂに重畳されたタッチパネル２１ａとを有する。タッチパネル２１ａは、指やペン等の指示体を用いてタッチパネル２１ａに対して行われた各種操作を、操作が行われた場所のタッチパネル２１ａ上での位置とともに検出し、制御部１００に通知する。タッチパネル２１ａによって検出される操作には、タッチ操作、スライド操作、及びピッチ操作が含まれる。表示部２１ｂは、例えば、液晶ディスプレイ（ＬＣＤ：Liquid  Crystal  Display）や有機ＥＬ（Organic  Electro−Luminescence）パネルなどで構成され、制御部１００の制御に従って文字や図形等を表示する。
【００４７】
通信部１０３は、制御部１００の制御に従って、基地局によって割り当てられるチャネルを介し、基地局との間で無線信号回線を確立し、基地局との間で電話通信及び情報通信を行う。
【００４８】
レシーバ１２は、制御部１００の制御に従って動作し、制御部１００から送信される音声信号を音声として出力する。また、レシーバ１２は、レシーバ通話時に通話相手の音声を出力する。
【００４９】
メインマイク１３は、制御部１００の制御に従って動作し、周囲の音を収音するマイク装置であり、集音した音を音声信号へ変換して制御部１００へ出力する。また、メインマイク１３は、レシーバ通話時におけるユーザの声を収音する。
【００５０】
スピーカー１５は、制御部１００の制御に従って動作し、制御部１００から送信される音声信号を音声として出力する。また、スピーカー１５は、スピーカー通話時において、通話相手の音声を出力する。
【００５１】
サブマイク２３は、制御部１００の制御に従って動作し、周囲の音を収音するマイク装置であり、集音した音を音声信号へ変換して制御部１００へ出力する。また、サブマイク２３は、スピーカー通話時にユーザの声を集音する。
【００５２】
カメラ２２は、被写体を撮像して得られる画像データを制御部１００に出力する。電源部１０４は、制御部１００の制御に従って、蓄電池又はＡＣアダプタから得られる電力を、制御部１００を含む携帯型情報処理装置１の各機部へ供給する。    
【００５３】
ホール素子１６は、第２の筐体２０の内部に配置されているマグネット２８から発生する磁界を検出して、磁界の検出結果を制御部１００に出力する。
【００５４】
第１の加速度センサ１７は、第１のタッチ表示部１１に対して、その長手方向に平行なＸ１方向、その短手方向に平行なＹ１方向、Ｘ１及びＹ１方向に垂直なＺ１方向の加速度を検出し、Ｘ１Ｙ１Ｚ１方向の加速度値Ａｘ１（ｔ）、Ａｙ１（ｔ）、Ａｚ１（ｔ）を、制御部１００に出力する。
【００５５】
第２の加速度センサ２７は、第２のタッチ表示部２１に対して、その長手方向に平行なＸ２方向、その短手方向に平行なＹ２方向、Ｘ２及びＹ２方向に垂直なＺ２方向の加速度を検出し、Ｘ２Ｙ２Ｚ２方向の加速度値Ａｘ２（ｔ）、Ａｙ２（ｔ）、Ａｚ２（ｔ）を、制御部１００に出力する。
【００５６】
メモリ１０１は、例えば、ＲＡＭやＤＲＡＭ等で構成されており、制御部１００によって実行されるプログラム、制御部１００が参照するデータ、制御部１００の演算結果等が一時的に記憶されるワークエリアとして使用される。
【００５７】
記憶部１０２は、制御部１００によって実行されるプログラムやデータを保持するコンピュータで読み取り可能な記憶媒体であって、ＥＥＰＲＯＭやＳＳＤ等の不揮発性メモリである。
【００５８】
制御部１００は、例えば、ＣＰＵ（Central  Processing  Unit）、マイクロプロセッサ、ＤＳＰ等であり、携帯型情報処理装置１の動作を統括的に制御して各種の機能を実現する。具体的には、制御部１００は、記憶部１０２に記憶されているデータやメモリ１０１に展開したデータを必要に応じて参照しつつ、記憶部１０２に記憶されているプログラムに含まれる命令を実行して、電話機能、メール機能、Ｗｅｂブラウジング機能、及び画面表示機能等の各種機能を実現する。
【００５９】
また、制御部１００は、ホール素子１６の磁界の検出結果、第１の加速度センサ１７及び第２の加速度センサ２７の検出結果に基づいて、携帯型情報処理装置１の状態（ベーシック状態、クローズ状態、タブレット状態、テント状態、ブック状態、クラムシェル状態）を検出する。
【００６０】
より具体的には、制御部１００は、第１の加速度センサ１７から出力されるＸ１Ｙ１Ｚ１方向の加速度値Ａｘ１（ｔ）、Ａｙ１（ｔ）、Ａｚ１（ｔ）に基づいて、第１のタッチ表示部１１の向きを判定し、また、第２の加速度センサ２７から出力されるＸ２Ｙ２Ｚ２方向の加速度値Ａｘ２（ｔ）、Ａｙ２（ｔ）、Ａｚ２（ｔ）に基づいて、第２のタッチ表示部２１の向きを判定し、さらに、第１のタッチ表示部１１及び第２のタッチ表示部２１の向きに基づいて、タブレット状態、テント状態、ブック状態、及びクラムシェル状態を判別する。また、制御部１００は、ホール素子１６の磁界の検出結果に基づいて、ベーシック状態及びクローズ状態を判別する。
【００６１】
制御部１００、ホール素子１６、第１の加速度センサ１７及び第２の加速度センサ２７は、携帯型情報処理装置１の状態を検出する状態検出手段として機能する。なお、携帯型情報処理装置１の状態を検出する方法はこれに限られるものはなく、他の方法を使用してもよく、例えば、ヒンジ３０の回転角度を検出する角度センサ等を使用してもよい。
【００６２】
制御部１００は、検出した携帯型情報処理装置１の状態に応じて、第１のタッチ表示部１１及び第２のタッチ表示部２１に表示する画像の向きを変更する。
【００６３】
上述したように、制御部１００は電話機能を制御する。制御部１００は、通話モードの切り替えを制御し、より具体的には、レシーバ通話（第１の通話モード）とスピーカー通話（第２の通話モード）の切り替えを制御する。
【００６４】
制御部１００は、レシーバ通話の場合には、レシーバ１２及びメインマイク１３を動作させ、スピーカー１５及びサブマイク２３を休止させる制御を行うことにより、通信部１０３を介して受信した通話相手の音声をレシーバ１２から出力し、メインマイク１３で集音したユーザの音声を、通信部１０３を介して通話相手に送信する。レシーバ通話では、ユーザは、耳をレシーバ１２に接近させ、口をメインマイク１３に接近させることにより、レシーバ１２で通信相手の音声を受話し、メインマイク１３で自己の音声を送話する通常の音声通話が可能となる。
【００６５】
また、制御部１００は、スピーカー通話の場合には、サブマイク２３及びスピーカー１５を動作させ、レシーバ１２及びメインマイク１３を休止させる制御を行うことにより、通信部１０３を介して受信した通話相手の音声を、スピーカー１５から出力し、サブマイク２３で集音したユーザの音声を、通信部１０３を介して通話相手に送信する。なお、スピーカー通話で、メインマイク１３の代わりにサブマイク２３を使用しているのは、メインマイク１３はスピーカー１５に近接して配置されているため、スピーカー１５から出力される音声を拾って通話相手に送信されることを防止するためである。
【００６６】
制御部１００は、携帯型情報処理装置１が第１の状態で電話を受信（着信）した後、ユーザにより、携帯型情報処理装置１が第２の状態に変更された場合には、第２の状態に対応した通話モード（レシーバ通話又はスピーカー通話）で通話を行う（応答する）。これにより、ユーザは、携帯型情報処理装置１の状態を変更することで所望の方式で通話を行うことができる。
【００６７】
例えば、制御部１００は、テント状態以外の他の状態（ベーシック状態、タブレット状態、クローズ状態、ブック状態、クラムシェル状態）で電話を受信した後、ユーザがテント状態に変更した場合には、テント状態で所定時間（例えば、数秒）静止した場合、又は、ユーザによる所定のアクション（例えば、スライドバーのＯＮ）が行われた場合には、スピーカー通話で受電（電話に応答することを「受電」と称する）。電話を受信した後、応答するまではホールド状態である。なお、テント状態に変更された場合には、テント状態で所定時間（例えば、数秒）の静止やユーザによる所定のアクションがなくても、スピーカー通話で受電することにしてもよい。これにより、ユーザは、電話を受信した後、テント状態に変更することで、スピーカー通話を行うことが可能となる。
【００６８】
また、制御部１００は、ブック状態以外の他の状態（ベーシック状態、タブレット状態、テント状態、クローズ状態、クラムシェル状態）で電話を受信した後、ユーザがブック状態に変更した場合には、ユーザによる所定のアクション（例えば、スライドバーのＯＮ）が行われた場合には、スピーカー通話で受電する。なお、ブック状態に変更された場合には、ユーザによる所定のアクションがなくても、スピーカー通話で受電することにしてもよい。これにより、ユーザは、電話を受信した後、ブック状態に変更することで、スピーカー通話を行うことが可能となる。なお、クラムシェル状態の場合は、ブック状態と同様な処理を行うことにしてもよい。
【００６９】
また、制御部１００は、ベーシック状態以外の他の状態（クローズ状態、タブレット状態、テント状態、ブック状態、クラムシェル状態）で電話を受信した後、ユーザがベーシック状態に変更した場合には、レシーバ通話で受電する。これにより、ユーザは、電話を受信した後、ベーシック状態に変更することで、レシーバ通話を行うことが可能となる。
【００７０】
制御部１００は、ユーザが、クローズ状態以外の他の状態（ベーシック状態、タブレット状態、テント状態、ブック状態、クラムシェル状態）で通話を行った後、クローズ状態に変更した場合には、電話を切断する。これにより、ユーザは、クローズ状態に変更することで、電話を切ることが可能となる。
【００７１】
次に、図４〜図１３を参照して、制御部１００による携帯型情報処理装置１の通話処理を説明する。
【００７２】
図４は、ベーシック状態で電話を受信した場合の表示画面の例を説明するための図である。制御部１００は、ベーシック状態で電話を受信した場合、第１のタッチ表示部１１にレシーバ通話を行うためのスライドバーを表示し、ユーザによりスライドバーがＯＮされた場合には、レシーバ通話での受電を行い、第１のタッチ表示部１１に通話画面を表示し、第２のタッチ表示部２１をＯＦＦとする。
【００７３】
図５は、テント状態で電話を受信した場合の表示画面の例を説明するための図である。制御部１００は、テント状態で電話を受信した場合、第１のタッチ表示部１１にスピーカー通話を行うためのスライドバーを表示し、ユーザによりスライドバーがＯＮされた場合には、スピーカー通話での受電を行い、第１のタッチ表示部１１に通話画面を表示し、第２のタッチ表示部２１をＯＦＦとする。
【００７４】
図６は、ブック状態で電話を受信した場合の表示画面の例を説明するための図である。制御部１００は、ブック状態で電話を受信した場合、第１のタッチ表示部１１にスピーカー通話を行うためのスライドバーを表示し、ユーザによりスライドバーがＯＮされた場合には、スピーカー通話での受電を行い、第１のタッチ表示部１１に通話画面を表示し、第２のタッチ表示部２１にホーム画面を表示する。
【００７５】
つぎに、図７〜図１３を参照して、上記制御部１００がレシーバ通話とスピーカー通話を切り替える処理を説明する。
【００７６】
図７は、クローズ状態で電話を受信し、ブック状態で通話する場合の処理の一例を説明するための図である。
【００７７】
図７において、制御部１００は、クローズ状態で電話を受信した後（Ｓ１）、ユーザがブック状態に変更すると、第１のタッチ表示部１１にスピーカーで通話するためのスライドバーを表示する（Ｓ２：図６参照）。制御部１００は、ユーザがスライドバーをＯＮさせると（Ｓ３）、スピーカー通話で受電する（Ｓ４）。制御部１００は、ユーザがスピーカー通話での通話が終了し、クローズ状態に変更すると、電話を切断する（Ｓ５）。
【００７８】
図８は、クローズ状態で電話を受信し、テント状態で通話する場合の処理の一例を説明するための図である。
【００７９】
図８において、制御部１００は、クローズ状態で電話を受信した後（Ｓ１１）、ユーザが、ブック状態（Ｓ１２：ブック状態ではスピーカーで通話するためのスライドバーが表示される（図６参照））、タブレット状態、テント状態に変更し（Ｓ１３：テント状態ではスピーカーで通話するためのスライドバーが表示される（図５参照））、ユーザがテント状態で所定時間静止又はスライドバーをＯＮすると（Ｓ１４）、スピーカー通話で受電する（Ｓ１５）。制御部１００は、ユーザがスピーカー通話での通話が終了し、テント状態からタブレット状態、ブック状態、クローズ状態に変更すると、電話を切断する（ステップＳ１６）。
【００８０】
図９は、クローズ状態で電話を受信し、ベーシック状態で通話する場合の処理の一例を説明するための図である。
【００８１】
図９において、制御部１００は、クローズ状態で電話を受信した後（Ｓ２１）、ユーザが、クローズ状態からブック状態（（Ｓ２２：ブック状態ではスピーカーで通話するためのスライドバーが表示される（図６参照））、タブレット状態、テント状態（（Ｓ２３：テント状態ではスピーカーで通話するためのスライドバーが表示される（図５参照））、ベーシック状態に変更すると、レシーバ通話での受電を行う（Ｓ２４）。制御部１００は、ユーザがレシーバ通話での通話が終了し、ベーシック状態からテント状態、タブレット状態、ブック状態、クローズ状態に変更すると、電話を切断する（ステップＳ２５）。
【００８２】
図１０は、テント状態で電話を受信し、テント状態で通話する場合の処理の一例を説明するための図である。
【００８３】
図１０において、制御部１００は、テント状態で電話を受信すると（Ｓ３１）、第１のタッチ表示部１１にスピーカーで通話するためのスライドバーを表示する（Ｓ３２：図５参照）。制御部１００は、ユーザがスライドバーをＯＮすると（Ｓ３３）、スピーカー通話で受電する（Ｓ３４）。制御部１００は、ユーザがスピーカー通話での通話が終了し、テント状態からタブレット状態、ブック状態、クローズ状態に変化させると、電話を切断する（Ｓ３５）。
【００８４】
図１１は、テント状態で電話を受信し、ベーシック状態で通話する場合の処理の一例を説明するための図である。
【００８５】
図１１において、制御部１００は、テント状態で電話を受信すると（Ｓ４１）、第１のタッチ表示部１１にスピーカーで通話するためのスライドバーを表示する（Ｓ４２）。制御部１００は、ユーザがスライドバーをＯＮさせないで、テント状態からベーシック状態に変更すると、レシーバ通話で受電する（Ｓ４３）。制御部１００は、ユーザがレシーバ通話での通話が終了し、ベーシック状態からテント状態、タブレット状態、ブック状態、クローズ状態に変更すると、電話を切断する（ステップＳ４４）。
【００８６】
図１２は、ベーシック状態で電話を受信し、ベーシック状態で通話する場合の処理の一例を説明するための図である。
【００８７】
図１２において、制御部１００は、ベーシック状態で電話を受信すると（Ｓ５１）、第１のタッチ表示部１１にレシーバで通話するためのスライドバーを表示する（Ｓ５２：図４参照）。制御部１００は、ユーザがレシーバ通話のスライドバーをオンにすると（Ｓ５３）、レシーバ通話で受電する（Ｓ５４）。制御部１００は、ユーザがレシーバ通話での通話が終了し、ベーシック状態からテント状態、タブレット状態、ブック状態、クローズ状態に変更すると、電話を切断する（ステップＳ５５）。
【００８８】
図１３は、ベーシック状態で電話を受信し、テント状態で通話する場合の処理の一例を説明するための図である。
【００８９】
図１３において、制御部１００は、ベーシック状態で電話を受信すると（Ｓ６１）、第１のタッチ表示部１１にレシーバで通話するためのスライドバーを表示する（Ｓ６２：図４参照）。制御部１００は、ユーザがスライドバーをＯＮさせないで、ベーシック状態からテント状態に変更すると、スピーカーで通話するためのスライドバーを表示する（Ｓ６３：図５参照）。制御部１００は、ユーザがテント状態で所定時間静止又はスライドバーをオンすると（Ｓ６４）、スピーカー通話で受電する（Ｓ６５）。制御部１００は、ユーザがスピーカー通話での通話が終了し、テント状態からタブレット状態、ブック状態、クローズ状態に変化させると、電話を切断する（ステップＳ６６）。
【００９０】
以上説明したように、本実施の形態によれば、制御部１００は、携帯型情報処理装置１が第１の状態で電話を受信した後、ユーザにより、携帯型情報処理装置１が第２の状態に変更された場合には、第２の状態に対応した通話モード（レシーバ通話又はスピーカー通話）で通話を行うこととしたので、２画面を有する携帯型情報処理装置において、通話のユーザビリティを向上させることが可能となる。付言すると、ユーザは、携帯型情報処理装置の状態を変更することで所望の方式で通話を行うことができる。
【００９１】
なお、ブック状態では、テント状態と同様の処理を行ってもよい。この場合、制御部１００は、ブック状態以外の他の状態で電話を受信した後、ユーザによりブック状態に変更された場合に、ブック状態で所定時間静止した場合（例えば、数秒）、又は、ユーザによる所定のアクション（例えば、スライドバーのＯＮ）が行われた場合に、スピーカー通話で受電することにしてもよい。例えば、テレビ電話（例えば、Ｓｋｙｐｅ等）などで通話する場合に、第１のタッチ表示部１１にテレビ電話の画面を表示してスピーカー通話を行い、第２のタッチ表示部２１に探している物（例えば、地図、レストラン情報等）を表示することにしてもよい（図６参照）。
【００９２】
なお、本実施の形態では、電話として音声電話について説明したが、本発明は、これに限られるものはなく、テレビ電話等にも適用可能である。
【００９３】
また、本実施の形態では、携帯型情報処理装置としてスマートフォンを一例として説明したが、本発明はこれに限られるものではなく、通話が可能で２画面を有する携帯型情報処理装置の全てに適用可能であり、例えば、ファブレット、タブレット等にも適用可能である。
【符号の説明】
【００９４】
１  携帯型情報処理装置
１０  第１の筐体
１０Ａ  第１の面
１０Ｂ  第２の面
１１  第１のタッチ表示部
１１ａ  タッチパネル
１１ｂ  表示部
１２  レシーバ
１３  メインマイク
１５  スピーカー
１６  ホール素子
１７  第１の加速度センサ
２０  第２の筐体
２０Ａ  第１の面
２０Ｂ  第２の面
２１  第１のタッチ表示部
２１ａ  タッチパネル
２１ｂ  表示部
２２  カメラ
２７  第２の加速度センサ
２８  マグネット
１００  制御部
１０１  メモリ
１０２  記憶部
１０３  電源部
【図１】
2015233198.tif 000003
【図２−Ａ】
2015233198.tif 000004
【図２−Ｂ】
2015233198.tif 000005
【図２−Ｃ】
2015233198.tif 000006
【図２−Ｄ】
2015233198.tif 000007
【図２−Ｅ】
2015233198.tif 000008
【図２−Ｆ】
2015233198.tif 000009
【図３】
2015233198.tif 000010
【図４】
2015233198.tif 000011
【図５】
2015233198.tif 000012
【図６】
2015233198.tif 000013
【図７】
2015233198.tif 000014
【図８】
2015233198.tif 000015
【図９】
2015233198.tif 000016
【図１０】
2015233198.tif 000017
【図１１】
2015233198.tif 000018
【図１２】
2015233198.tif 000019
【図１３】
2015233198.tif 000020